(57)【要約】【課題】本発明は、取引履歴の印字において、ユーザの利便性の向上を図ることを目的とする。【解決手段】取引処理装置は、印字媒体に１行に並べて印字する２以上の取引履歴を選択するための選択部と、選択部により選択された取引履歴を印字するための印字データを取得する取得部と、取得部により取得された印字データに基づいて、２以上の取引履歴を１行に並べて印字媒体に印字する印字部と、を備える。【選択図】図１
2010117755.tif 000002
【特許請求の範囲】
【請求項１】
取引処理装置であって、
印字媒体に１行に並べて印字する２以上の取引履歴を選択するための選択部と、
前記選択部により選択された取引履歴を印字するための印字データを取得する取得部と、
前記取得部により取得された前記印字データに基づいて、２以上の取引履歴を１行に並べて印字媒体に印字する印字部と、を備える取引処理装置。
【請求項２】
請求項１に記載の取引処理装置において、
前記選択部は、１行に並べて印字する取引履歴を選択するための選択画面を含む取引処理装置。
【請求項３】
請求項２に記載の取引処理装置において、
前記選択画面は、同じ日に処理された２以上の取引履歴を１行に並べて印字するための選択部が含まれている取引処理装置。
【請求項４】
請求項２または請求項３に記載の取引処理装置において、
前記選択画面は、同じ取引種別の２以上の取引履歴を１行に並べて印字するための選択部が含まれている取引処理装置。
【請求項５】
請求項１ないし請求項４のいずれかに記載の取引処理装置において、
前記印字媒体は、通帳である取引処理装置。
【請求項６】
取引処理システムであって、
任意に選択された２以上の取引履歴を１行に並べて印字するための印字データを生成する印字データ生成部と、前記印字データを送信する送信部とを有するホストコンピュータと、
前記印字データを取得する取得部と、前記印字データに基づいて、２以上の取引履歴を１行に並べて印字媒体に印字する印字部と有する取引処理装置と、を備える取引処理システム。
【発明の詳細な説明】
【技術分野】
【０００１】
本発明は、取引処理装置および取引処理システムに関する。
【背景技術】
【０００２】
従来から、ＡＴＭをはじめとする取引処理装置において、ユーザの利便性向上のために、通帳に未印字の取引履歴を表示画面に表示させて取引履歴を通知する技術が知られている（特許文献１）。また、通帳に未印字の取引履歴について、必要に応じて明細票や通帳に印字をおこなう技術が知られている（特許文献２）。
【０００３】
【特許文献１】特開平１０−１７７６７２号公報
【特許文献２】特開平９−２８２５２４号公報
【特許文献３】特開平８−０８７６４１号公報
【特許文献４】特開平７−０２１２９２号公報
【０００４】
しかしながら、従来の技術では、取引履歴は、取引された順にのみ従って、表示もしくは印字されるため、例えば、所定期間内における支出回数や、振込日等の取引状況を、取引履歴から把握をする場合には、複数並ぶ取引履歴から該当する取引履歴を見つけ出して確認する必要があり、必ずしも便利であるとはいえなかった。
【発明の開示】
【発明が解決しようとする課題】
【０００５】
本発明は、上記した従来の課題の少なくとも一部を解決するためになされた発明であり、取引履歴の印字において、ユーザの利便性の向上を図ることを目的とする。
【課題を解決するための手段】
【０００６】
上記課題の少なくとも一部を解決するための本願発明は以下の態様を採る。
【０００７】
第１の態様は、取引処理装置を提供する。本発明の第１の態様に係る取引処理装置は、印字媒体に１行に並べて印字する２以上の取引履歴を選択するための選択部と、前記選択部により選択された取引履歴を印字するための印字データを取得する取得部と、前記取得部により取得された前記印字データに基づいて、２以上の取引履歴を１行に並べて印字媒体に印字する印字部と、を備える。
【０００８】
第１の態様に係る取引処理装置によれば、選択部により選択された２以上の取引履歴を１行に並べて印字媒体に印字するため、ユーザの利便性の向上を図ることができる。
【０００９】
第１の態様に係る取引処理装置において、前記選択部は、１行に並べて印字する取引履歴を選択するための選択画面を含んでいてもよい。この場合には、選択画面により選択された２以上の取引履歴を並べて印字することができ、ユーザの利便性の向上を図ることができる。
【００１０】
第１の態様に係る取引処理装置において、前記選択画面は、同じ日に処理された２以上の取引履歴を１行に並べて印字するための選択部が含まれていてもよい。この場合には、選択部を選択することで、同じ日に処理された２以上の取引履歴を１行に並べて印字することができ、ユーザの利便性の向上を図ることができる。
【００１１】
第１の態様に係る取引処理装置において、前記選択画面は、同じ取引種別の２以上の取引履歴を１行に並べて印字するための選択部が含まれていてもよい。この場合には、選択部を選択することで、同じ取引種別の２以上の取引履歴を１行に並べて印字することができ、ユーザの利便性の向上を図ることができる。
【００１２】
第１の態様に係る取引処理装置において、前記印字媒体は、通帳であってもよい。この場合には、通帳に２以上の取引履歴を１行に並べて印字することができ、ユーザの利便性の向上を図ることができる。
【００１３】
第２の態様は、取引処理システムを提供する。本発明の第２の態様に係る取引処理システムは、任意に選択された２以上の取引履歴を１行に並べて印字するための印字データを生成する印字データ生成部と、前記印字データを送信する送信部とを有するホストコンピュータと、前記印字データを取得する取得部と、前記印字データに基づいて、２以上の取引履歴を１行に並べて印字媒体に印字する印字部と有する取引処理装置と、を備える。
【００１４】
第２の態様に係る取引処理システムによれば、ホストコンピュータにおいて生成された印字データに基づいて、取引処理装置は、印字媒体に２以上の取引履歴を１行に並べて印字するため、ユーザの利便性の向上を図ることができる。
【００１５】
なお、本発明は、種々の態様で実現することが可能であり、例えば、取引処理装置における印字媒体への印字方法として実現することができる。また、この印字方法を実現するためのコンピュータプログラム、そのコンピュータプログラムを記録した記録媒体等の態様で実現することができる。
【発明を実施するための最良の形態】
【００１６】
以下、本発明に係る取引処理装置および取引処理システムについて、図面を参照しつつ、実施例に基づいて説明する。
【００１７】
Ａ．第１の実施例
Ａ１．全体構成：
図１は、本発明の第１の実施例に係る取引処理システムの構成を例示した説明図である。図２は、自動取引処理装置の内部構成を例示した説明図である。図３は、ホストコンピュータの内部構成を例示した説明図である。図１に示すように、本発明に係る取引処理システム１０は、自動取引処理装置（以後、「ＡＴＭ」と呼ぶ）１００と、ホストコンピュータ２００と、が専用回線３００を介して接続された構成を備える。ＡＴＭ１００は、特許請求の範囲における「取引処理装置」に該当する。
【００１８】
ＡＴＭ１００は、金融機関等に配置され、利用者との間で種々の金融取引をおこなうために用いられる。ＡＴＭ１００は、操作案内部１２０、紙幣処理部１３０、硬貨処理部１４０、カード／明細票処理部１５０、通帳処理部１６０、制御部１７０、回線接続部１８０を備えている。
【００１９】
操作案内部１２０は、利用者に対して取引を誘導する画面を表示するとともに、利用者による取引内容の入力を検知する。例えば、操作案内部１２０は、操作案内表示画面に表示された表示キーへの接触を検知可能に形成されている。操作案内部１２０は、画面とキーが一体化されたタッチパネル等により構成された入力兼表示部であることが望ましいが、利用者に対して取引を誘導する画面と、利用者による入力を検知する検知部とを、別個に備える構成であってもよい。操作案内部１２０は、特許請求の範囲における「選択部」に該当する。紙幣処理部１３０は、紙幣の入金や出金機能、紙幣の鑑別や、搬送、収納機能を備える。硬貨処理部１４０は、硬貨の入金や出金機能、硬貨の鑑別や、搬送、収納機能を備える。
【００２０】
カード／明細書処理部１５０は、利用者のカード（例えば、キャッシュカード）のデータの読み取りに用いられる。カード／明細書処理部１５０は、挿入されたカードの磁気ストライプに記録されたデータや、エンボス部分のデータを読み取る。また、カードがＩＣカードである場合には、ＩＣチップからデータを読み取る。また、カード／明細書処理部１５０は、取引内容を印字部により明細票に印字し、装置内から排出する明細票機構を有する。
【００２１】
通帳処理部１６０は、挿入された利用者の通帳の磁気ストライプからのデータの読み取りに用いられる。また、通帳処理部１６０は、通帳への取引内容を印字する印字機能を有する。なお、明細票機構は、カード／明細書処理部１５０ではなく、通帳処理部１６０が備える構成にしてもよい。通帳処理部１６０は、特許請求の範囲における「印字部」に該当する。
【００２２】
制御部１７０は、図示しないＣＰＵやメモリを備え、ＡＴＭ１００の全体の動作を制御するほか、種々のデータについての処理を行う。制御部１７０は、図示しないＣＰＵがプログラムを処理することにより実現されるソフトウエア的な態様であってもよいし、集積回路等により実現されるハードウエア的な態様であってもよい。回線接続部１８０は、専用回線３００を介してホストコンピュータ２００に接続されている。
【００２３】
ＡＴＭ１００は、上記機能部のほか、操作案内部１２０で利用者が取引を行なう際に、音声にて取引案内のサポートを実施したり、取り忘れた現金の注意喚起等を行なったりする音声案内ガイダンス部や、ＡＴＭ１００の前方部に設けられ、ＡＴＭ１００の近傍に利用者が存在するか否かを赤外線センサ等により検知する顧客検知センサ部を備えていてもよい。
【００２４】
図３に示すように、ホストコンピュータ２００は、ホストコンピュータ制御部２１０と、ファイル部２２０と、顧客情報ファイル制御部２５０と、印字設定ファイル制御部２６０と、回線接続部２７０とを備える。ホストコンピュータ制御部２１０は、図示しないＣＰＵやメモリを備え、ホストコンピュータ２００の全体の動作を制御するほか、種々のデータについての処理を行う。ファイル部２２０は、ハードディスク等の記憶装置からなり、後述する顧客情報ファイル２３０および印字設定ファイル２４０を格納している。
【００２５】
図４は、顧客情報ファイルの内容を例示した説明図である。顧客情報ファイル２３０は、金融機関における各顧客の口座情報等を含んでいるファイルである。具体的には、図４に示すように、顧客情報２３１と未記帳データ２３２とを含んでいる。顧客情報２３１は、顧客の口座を特定するための情報であり、「機関番号」、「口座番号」、「氏名」などが含まれている。未記帳データ２３２は、顧客の口座において、通帳記入等がなされていない取引履歴についての情報であり、取引処理毎に割り振られる「未記帳データ番号」、取引処理の「日付」、取引処理内容を示す「摘要」、そのほか、「取引金額」、「残高」などが含まれている。本実施例では、顧客情報２３１と未記帳データ２３２とは、ツリー構造の上位と下位として関連づけがされ、顧客情報２３１の下位に未記帳データ２３２が関連づけられている。
【００２６】
図５は、印字設定ファイルの内容を例示した説明図である。印字設定ファイル２４０は、口座ごとに未記帳の取引履歴の印字方法が設定される印字設定情報２４１を含んでいるファイルである。図５に示すように、印字設定情報２４１は、取引履歴の印字方法が定義されている「項目」と、その項目に対応して選択された印字方法を特定するための「設定内容」とを含んでいる。印字設定情報２４１の具体的な内容については後述する。
【００２７】
顧客情報ファイル制御部２５０は、顧客情報ファイル２３０を制御する。印字設定ファイル制御部２６０は、印字設定ファイル２４０を制御する。顧客情報ファイル制御部２５０および印字設定ファイル制御部２６０の具体的な動作については後述する。回線接続部２７０は、ホストコンピュータ２００を専用回線３００に接続するために用いられる。これにより、ＡＴＭ１００とホストコンピュータ２００とが接続される。
【００２８】
Ａ２．取引動作：
図６は、ＡＴＭを用いた取引動作を説明するためのフローチャートである。ＡＴＭ１００の制御部１７０は、操作案内部１２０に取引メニュー画面を表示する。具体的には、制御部１７０は、図示しない顧客検知センサ部により、ＡＴＭ１００近傍に利用者がいることを検知した場合に、操作案内部１２０に取引メニュー画面を表示する。取引メニュー画面には顧客が各種取引を開始するための各種取引項目の開始ボタンが表示されている。例えば、「お引出し」「お預入れ」「お振込み」「残高照会」「通帳記帳」など、ＡＴＭ１００にて取引可能な取引項目ボタンが表示されている。なお、取引項目ボタンは上記に限定されず、例えば、「暗証番号変更」等の他の取引項目ボタンが表示されていてもよい。
【００２９】
制御部１７０は、取引メニュー画面が表示されている操作案内部１２０を介し、取引項目の選択を検知した場合には（ステップＳ１１０）、操作案内部１２０にカードおよび通帳の挿入案内を表示する。キャッシュカードがカード／明細書処理部１５０に挿入され、通帳が通帳処理部１６０に挿入されたことを検知すると（ステップＳ１２０）、制御部１７０は、操作案内部１２０に暗証番号の入力の案内を表示する。制御部１７０は、暗証番号の入力を検知すると、入力された暗証番号情報をホストコンピュータ２００に送る。ホストコンピュータ２００から、暗証番号が一致した旨の回答を受け取ると、制御部１７０は、操作案内部１２０に取引に必要な入力項目について入力するように案内を表示する。入力項目には、「引出し」や「振込」などの取引項目のほか、例えば、「引出し」であれば、引出し額などが含まれ、「振込」であれば、振込先、振込額などが含まれる。制御部１７０は、入力項目の入力を検知すると（ステップＳ１３０）、入力項目に含まれる情報（以後、「取引情報」と呼ぶ）をホストコンピュータ２００に送信する（ステップＳ１４０）。
【００３０】
ホストコンピュータ２００は、取引情報を受信すると、取引情報に基づいて取引処理を実行する。このとき、ホストコンピュータ２００の顧客情報ファイル制御部２５０は、取引情報に含まれる顧客の機関番号、口座番号、氏名情報と、顧客情報２３１に含まれる「機関番号」、「口座番号」、「氏名」などの情報とを照会し、一致する顧客情報２３１と特定する。顧客情報ファイル制御部２５０は、特定した顧客情報２３１の下位に関連づけられている未記帳データ２３２の有無、および、未記帳データ２３２がある場合には、未記帳データ２３２を含む情報（以後、「未記帳情報」と呼ぶ）をＡＴＭ１００に送信する。
【００３１】
ＡＴＭ１００は、未記帳情報をホストコンピュータ２００から受信し（ステップＳ１５０）、未記帳情報に未記帳データ２３２が含まれている場合には（ステップＳ１５５：ＹＥＳ）、操作案内部１２０に印字方法選択画面を表示させる（ステップＳ１５７）。
【００３２】
図７は、印字方法選択画面を例示した説明図である。印字方法選択画面は、未記帳となっている複数の取引履歴の少なくとも一部を、まとめて印字するか否かを選択するための画面である。ここで、「まとめて印字する」とは、２以上の取引履歴を一行に並べて印字することをいう。印字方法選択画面は、まとめて印字を「する」ためのボタンと、まとめて印字を「しない」ためのボタンが表示されている。
【００３３】
ＡＴＭ１００は、印字方法選択画面において、まとめて印字すること（「する」ボタンの選択）を検知すると（ステップＳ１５７：ＹＥＳ）、まとめて印字をおこなう取引履歴を設定するための記帳方法設定処理をおこなう（ステップＳ１６０）。
【００３４】
記帳方法設定処理について説明する。図８は、記帳方法設定処理の流れを説明するためのフローチャートである。図９は、設定方法選択画面を例示した説明図である。図１０は、情報設定画面を例示した説明図である。図１１は、期間選択画面を例示した説明図である。図１２は、設定内容選択画面を例示した説明図である。図１３は、情報設定画面を例示した説明図である。
【００３５】
ＡＴＭ１００は、図９に示す、設定方法選択画面を操作案内部１２０に表示させる（ステップＳ１６１）。設定方法選択画面は、まとめて印字をおこなう取引履歴の選択方法について選択をおこなうための画面である。本実施例では、「まとめて印字しない項目を設定する」と、「まとめて印字する項目を設定する」の２つの選択ボタンが表示されている。「まとめて印字しない項目を設定する」ボタンは、設定された取引履歴以外の取引履歴をまとめて印字するためのボタンである。一方、「まとめて印字する項目を設定する」ボタンは、設定された取引履歴をまとめて印字するためのボタンである。
【００３６】
ＡＴＭ１００は、設定方法選択画面において「まとめて印字する項目を設定する」が選択されたことを検知すると、図１０に示す、情報設定画面を操作案内部１２０に表示させる（ステップＳ１６２）。情報設定画面は、まとめて印字をおこなう取引履歴に共通する項目の選択をおこなうための画面である。本実施例では、「近い日付」と、「摘要ごと」と、「同じ日付」と、「手数料」の４つの選択ボタンが表示されている。「近い日付」ボタンは、任意に選択された期間におこなわれた取引の履歴をまとめて印字するためのボタンである。「摘要ごと」ボタンは、取引種別が同じ取引の履歴をまとめて印字するためのボタンである。「同じ日付」ボタンは、同日に処理された取引の履歴をまとめて印字するためのボタンである。「手数料」ボタンは、手数料の取引履歴をまとめて印字するためのボタンである。
【００３７】
ＡＴＭ１００は、情報設定画面において「近い日付」が選択されたことを検知すると（ステップＳ１６３：「近い日付」選択）、図１１に示す、期間選択画面を操作案内部１２０に表示させる（ステップＳ１６４）。期間選択画面は、まとめて印字をおこなう期間を入力するための画面であり、本実施例では、期間（日）を入力するための０から９までの数字ボタンが表示されている。設定方法については特に限定はなく、例えば、この印字がおこなわれる日から起算した期間であってもよいし、別に起算日を設定するものとしてもよい。そのため、期間選択画面は、期間の入力をおこなうための０から９までの数字のほか、年月日や、時間等が入力可能に構成されていてもよい。
【００３８】
ＡＴＭ１００は、情報設定画面において「摘要ごと」が選択されたことを検知すると（ステップＳ１６３：「摘要ごと」選択）、図１２に示す、設定内容選択画面を操作案内部１２０に表示させる（ステップＳ１６５）。設定内容選択画面は、まとめて印字をおこなう取引項目について選択をおこなうための画面である。本実施例では、「支払」と、「振込」と、「預入」と、「振替」と、「その他」の５つの選択ボタンが表示されている。「支払」「振込」「預入」「振替」ボタンについては、選択されたそれぞれの項目についてまとめて印字をおこなうためのボタンである。「その他」ボタンは、「支払」「振込」「預入」「振替」以外の取引についてまとめて印字をおこなうためのボタンである。設定方法選択画面、情報設定画面、期間選択画面、および、設定内容選択画面は特許請求の範囲における「選択画面」に該当する。
【００３９】
ＡＴＭ１００は、情報設定画面において「同じ日付」が選択されたことを検知すると（ステップＳ１６３：「同じ日付」選択）、この印字がおこなわれる日におこなわれた取引の履歴についてまとめて印字をおこなう。「同じ日付」については、この印字がおこなわれる日のみに限定されず、２以上の取引処理がされた日ごとにそれぞれまとめて印字してもよいし、日付を入力するための図示しない入力画面を表示させて、入力された日におこなわれた取引の履歴についてまとめて印字をおこなうものとしてもよい。また、複数の日付の入力を受け付けることにより、受け付けたそれぞれの日におこなわれた取引の履歴についてそれぞれまとめて印字してもよい。
【００４０】
ＡＴＭ１００は、情報設定画面において「手数料」が選択されたことを検知すると（ステップＳ１６３：「手数料」選択）、未記帳データ２３２に含まれる手数料についての取引履歴をまとめて印字をおこなう。まとめて印字をおこなう手数料の取引履歴の範囲については特に限定はなく、未記帳データ２３２に含まれるすべての手数料の取引履歴をまとめて印字してもよいし、日付を入力するための図示しない入力画面を表示させて、入力された期間における手数料の取引履歴についてまとめて印字してもよい。
【００４１】
ＡＴＭ１００は、期間選択画面において、まとめて印字する期間の入力を検知した場合、設定内容選択画面において、まとめて印字をおこなう取引項目の入力を検知した場合、もしくは、選択情報設定画面において「手数料」「同じ日付」が選択され、必要な入力がおこなわれた場合、図１３に示す確認画面を操作案内部１２０に表示させる（ステップＳ１６６）。確認画面は、並べて印字をおこなう取引履歴についての確認をおこなうための画面である。確認画面には、図１３の※１に示すように、並べて印字をおこなう取引履歴について表示されている。また、確認画面には、少なくとも表示された内容で印字をおこなうための「終了」ボタンと、表示された内容で印字をおこなわないようにするための「取消」ボタンが表示されている。
【００４２】
ＡＴＭ１００は、確認画面において「終了」が選択されたことを検知すると（ステップＳ１６７：ＹＥＳ）、上記設定処理に基づいて、図５に示す、印字設定情報２４１を生成し、処理は終了する。印字設定情報２４１の「項目」のうち、「下記のみまとめて印字」「下記以外まとめて印字」の設定内容は、設定方法選択画面の選択内容に対応し、「項目」のうち、「同じ日付」「近い日付」「手数料」「摘要ごと」の設定内容は、情報設定画面、期間選択画面、設定内容選択画面の選択内容に対応する。ＡＴＭ１００は、確認画面において「取消」が選択されたことを検知すると（ステップＳ１６７：ＮＯ）、再度、図９に示す設定方法選択画面を操作案内部１２０に表示させる（ステップＳ１６１）。
【００４３】
図６に戻り、ＡＴＭ１００は、記帳方法設定処理が終了した場合、未記帳データ２３２がない場合（ステップＳ１５５：ＮＯ）、印字方法選択画面において、まとめて印字しないこと（「しない」ボタンの選択）を検知した場合（ステップＳ１５７：ＮＯ）、ホストコンピュータ２００から印字に用いられる印字データを取得するための記帳連絡処理をおこなう（ステップＳ１７０）。
【００４４】
図１４は、記帳連絡処理の流れを説明するためのフローチャートである。ＡＴＭ１００は、記帳要求をホストコンピュータ２００に送信する（ステップＳ１７１）。ＡＴＭ１００は、記帳方法設定処理を経た場合には、印字設定情報２４１を含んだ記帳要求を送信する。
【００４５】
ホストコンピュータ２００は、記帳要求を受信すると（ステップＳ１７２）、記帳要求に印字設定情報２４１が含まれている場合（ステップＳ１７３：ＹＥＳ）、印字設定情報２４１を印字設定ファイル２４０に格納する。ホストコンピュータ２００の印字設定ファイル制御部２６０は、印字設定情報２４１が格納されると、印字設定ファイル２４０に格納された印字設定情報２４１に基づいて、まとめ処理をおこなう（ステップＳ１７４）。まとめ処理とは、印字データを生成するために、未記帳データ２３２に含まれる複数の取引履歴のうち、印字設定情報２４１に基づいて、まとめて印字をおこなう取引履歴に共通のフラグをたてる等、取引履歴を区分けするためにおこなわれる処理をいう。
【００４６】
図１５は、未記帳データにまとめ処理がおこなわれた状態を模式的に示した説明図である。印字設定ファイル制御部２６０は、印字設定情報２４１に基づき、未記帳データ２３２にまとめ情報２３２ｍを付加する。具体的には、図４に示す未記帳データ２３２と、図５に示す印字設定情報２４１であれば、印字設定ファイル制御部２６０は、印字設定情報２４１に「同じ日付」ごとにまとめて印字する情報が設定されているため、未記帳データ２３２の取引日付に基づいて、同じ日付の取引履歴について共通の番号フラグをたてたまとめ情報２３２ｍが付加される。付加されたまとめ情報２３２ｍには、図１５に示すように、２００８年４月５日には「３」と、２００８年４月１４日には「５」とそれぞれに共通の番号フラグがたっている。
【００４７】
まとめ処理についての上記以外の具体例をさらに示す。図１６は、「預入」についてのまとめ処理を説明するための説明図である。図１７は、「近い日付」についてのまとめ処理を説明するための説明図である。図１６（ａ）は、記帳方法設定処理において、情報設定画面で「摘要ごと」を選択し、さらに、設定内容選択画面で「預入」を選択した場合の印字設定情報２４１を示している。この場合、図１６（ｂ）に示すように、未記帳データ２３２には、２００８年４月１日、２００８年４月３日、２００８年４月１０日におこなわれた「預入」についての取引履歴に共通の番号フラグをたてたまとめ情報２３２ｍが付加される。図１７（ａ）は、記帳方法設定処理において、情報設定画面で「近い日付」を選択し、さらに、期間選択画面で「２００８年４月１日から６日以内」と選択した場合の印字設定情報２４１を示している。この場合、図１７（ｂ）に示すように、２００８年４月１日、２００８年４月３日、２００８年４月５日におこなわれた取引履歴に共通の番号フラグをたてたまとめ情報２３２ｍが付加される。なお、本実施例で示した番号フラグは例示であり、２以上の取引履歴が他の取引履歴と区別可能であれば、これら以外の方法によるフラグを付加してもよい。
【００４８】
印字設定ファイル制御部２６０は、このまとめ情報２３２ｍが付加された未記帳データ２３２に基づいて印字データを生成し（ステップＳ１７５）、この印字データを含む記帳回答をＡＴＭ１００に送信する（ステップＳ１７６）。ＡＴＭ１００は、ホストコンピュータ２００から印字データを含む記帳回答を受信する（ステップＳ１７７）。ＡＴＭ１００は、受信した記帳回答に含まれる印字データを図示しない記憶装置に格納する。
【００４９】
図６に戻り、ＡＴＭ１００は、記帳回答を受信すると、記帳回答に含まれる印字データに基づいて通帳印字処理をおこなう（ステップＳ１８０）。図１８は、通帳印字処理による印字例を示した説明図である。図１８（ａ）は、図１５のまとめ処理により生成された印字データによる印字例を示している。図１８（ａ）に示すように、まとめ処理においてそれぞれ共通のフラグがたてられた２００８年４月５日と２００８年４月１４日については、２つの取引履歴の「摘要」および「取引金額」がそれぞれ一列に並んで記載され、「残高」には、２つの取引を合わせた結果が記載される。図１８（ｂ）は、図１６のまとめ処理により生成された印字データによる印字例を示している。図１８（ｂ）に示すように、まとめ処理において共通のフラグがたてられた２００８年４月１日、２００８年４月３日、２００８年４月１０日におこなわれた「預入」についての取引履歴がまとめられ、３つの取引履歴の「日付」と「取引金額」がそれぞれ一列に並んで記載され、「残高」には、３つの取引を合わせた結果が記載される。図１８（ｃ）は、図１７のまとめ処理により生成された印字データによる印字例を示している。図１８（ｃ）に示すように、まとめ処理において共通のフラグがたてられた２００８年４月１日、２００８年４月３日、２００８年４月５日におこなわれた取引履歴がまとめられ、４つの取引履歴の「日付」と「摘要」と「取引金額」がそれぞれ一列に並んで記載され、「残高」には、４つの取引を合わせた結果が記載される。
【００５０】
ステップＳ１７３において、ホストコンピュータ２００は、記帳要求に印字設定情報２４１が含まれていない場合（ステップＳ１７３：ＮＯ）、まとめ処理をおこなわずに印字データを生成し（ステップＳ１７５）、生成された印字データを含む記帳回答をＡＴＭ１００に送信する（ステップＳ１７６）。ＡＴＭ１００は、ホストコンピュータ２００から印字データを含む記帳回答を受信する（ステップＳ１７７）。この場合、ＡＴＭ１００は、一行にまとめずに取引履歴を印刷する。
【００５１】
ＡＴＭ１００は、通帳への印字が終了すると、カードや通帳などの媒体を返却し（ステップＳ１９０）、取引処理は終了する。
【００５２】
以上、第１の実施例に係るＡＴＭ１００によれば、操作案内部１２０により選択された２以上の取引履歴を１行に並べて通帳に印字するため、ユーザの利便性の向上を図ることができる。具体的には、従来の技術では、取引履歴は、取引された順にのみ従って、表示もしくは印字されるため、例えば、所定期間内における支出回数や、振込日等の取引状況を、取引履歴から把握をする場合には、複数並ぶ取引履歴から該当する取引履歴を見つけ出して確認する必要があり、必ずしも便利であるとはいえなかった。しかし、ユーザにより選択された２以上の取引履歴を１行に並べて印字することにより、ユーザの意向を反映した印字が可能となり、取引履歴からユーザが確認したい取引状況を容易に把握することができる。
【００５３】
第１の実施例に係るＡＴＭ１００によれば、操作案内部１２０は、１行に並べて印字する取引履歴を選択するための選択画面を含んでいるため、ユーザが並べて印字したい２以上の取引履歴を選択することができ、ユーザの利便性の向上を図ることができる。具体的には、設定方法選択画面、情報設定画面、期間選択画面、および、設定内容選択画面などの選択画面により、ユーザは容易に、並べて印字したい２以上の取引履歴を選択することができるため、ユーザの利便性の向上を図ることができる。
【００５４】
第１の実施例に係るＡＴＭ１００によれば、情報設定画面には、同じ日に処理された２以上の取引履歴を１行に並べて印字するための「同じ日付」の選択ボタンが表示されているため、この選択ボタンを選択することで、同じ日に処理された２以上の取引履歴を１行に並べて印字することができ、ユーザの利便性の向上を図ることができる。
【００５５】
第１の実施例に係るＡＴＭ１００によれば、情報設定画面には、同じ取引種別の２以上の取引履歴を１行に並べて印字するための「摘要ごと」の選択ボタンが表示されているため、この選択ボタンを選択することで、同じ取引種別の２以上の取引履歴を１行に並べて印字することができ、ユーザの利便性の向上を図ることができる。
【００５６】
第１の実施例に係るＡＴＭ１００によれば、通帳に２以上の取引履歴を１行に並べて印字することができるため、複数ページにわたる記載を抑制することにより、ユーザの利便性の向上を図ることができる。また、使用するページの抑制により紙面の節約を図ることができる。
【００５７】
第１の実施例に係る取引処理システム１０によれば、ホストコンピュータ２００において生成された印字データに基づいて、ＡＴＭ１００は、通帳に２以上の取引履歴を１行に並べて印字するため、ユーザの利便性の向上を図ることができる。取引処理システム１０の態様であっても、ユーザにより選択された２以上の取引履歴を１行に並べて印字することにより、ユーザの意向を反映した印字が可能となり、取引履歴からユーザが確認したい取引状況を容易に把握することができる。
【００５８】
Ｂ．変形例：
なお、この発明は上記の実施例や実施形態に限られるものではなく、その要旨を逸脱しない範囲において種々の態様において実施することが可能であり、例えば次のような変形も可能である。
【００５９】
Ｂ１．変形例１：
本実施例では、印字データはホストコンピュータ２００が生成するとしているが、これに限られず、ＡＴＭ１００が、印字設定情報２４１に基づいてまとめ処理をおこない、印字データを生成してもよい。すなわち、印字設定ファイル２４０および印字設定ファイル制御部２６０をＡＴＭ１００が備えることにより、ホストコンピュータ２００から取得した未記帳データ２３２にまとめ処理をおこない、生成した印字データに基づいて、２以上の取引履歴を１行に並べて印字してもよい。
【００６０】
Ｂ２．変形例２：
本実施例では、通帳処理部１６０を特許請求の範囲における「印字部」としたが、２以上の取引履歴を１行に並べて印字をおこなうための印字媒体は通帳に限定されず、例えば、明細書であってもよい。この場合には、通帳処理部１６０のみではなく、カード／明細書処理部１５０も印字部に含められる。また、例えば、コンビニエンスストアに設置されたＡＴＭのように、ＡＴＭが設置される場所によっては、通帳処理部１６０を備えていない場合には、カード／明細書処理部１５０のみを印字部としてもよい。
【００６１】
Ｂ３．変形例３：
一行に並べて印字する取引履歴については、上記実施例に限定されず、例えば、振込先毎にまとめて印字する機能を備えていてもよい。また、上記選択画面の他、例えば、未記帳の取引履歴がある場合にも、取引履歴の少なくとも一部について印字をおこなわないための選択画面を備えていてもよい。
【００６２】
Ｂ４．変形例４：
本実施例で示した、設定方法選択画面、情報設定画面、期間選択画面、および、設定内容選択画面において表示されている選択ボタンは上記実施例に限定されず、他の選択ボタンが表示されていてもよいし、上記実施例で説明した選択ボタンの一部を備えていなくてもよい。
【００６３】
Ｂ５．変形例５：
本実施例では、操作案内部１２０に取引メニュー画面を表示し、取引項目の選択を検知した後に、操作案内部１２０にカードおよび通帳の挿入案内を表示してキャッシュカードおよび通帳を取得しているが、カードおよび通帳を取得するタイミングには特に限定はなく、例えば、取引項目の選択を検知する前にカードおよび通帳を取得してもよいし、「通帳記入」など特定の取引項目であれば、通帳のみを取得してもよい。
【００６４】
Ｂ６．変形例６：
本実施例では、未記帳データ２３２に含まれる２以上の取引履歴について１行に並べて印字をおこなっているが、１行に並べて印字をおこなう取引履歴は未記帳データ２３２に含まれる取引履歴に限定されず、例えば、有通帳取引において、２以上の取引がされた場合に、これらの取引履歴を１行に並べて印字をおこなう取引処理装置としても実現可能である。また、これらの取引履歴のうち、少なくとも一部のみを印字するための選択画面を表示する機能を備えていてもよい。これにより、次回以降に、未記入の取引履歴を１行にまとめて印字することができる。
【００６５】
Ｂ７．変形例７：
本実施例では、２以上の取引履歴を１行に並べて印字をおこなっているが、印字に限定されず、例えば、操作案内部１２０に２以上の取引履歴を１行に並べて表示する取引処理装置としても実現可能である。この場合、操作案内部１２０に表示するのは、通帳に印字をおこなう前であってもよいし、通帳や明細書を取得せずに表示だけをおこなってもよい。この場合であっても、ユーザの利便性の向上を図ることができる。
【００６６】
なお、本発明は、種々の態様で実現することが可能であり、例えば、取引処理装置における印字媒体への印字方法として実現することができる。また、この印字方法を実現するためのコンピュータプログラム、そのコンピュータプログラムを記録した記録媒体等の態様で実現することができる。
【図面の簡単な説明】
【００６７】
【図１】本発明の第１の実施例に係る取引処理システムの構成を例示した説明図である。
【図２】自動取引処理装置の内部構成を例示した説明図である。
【図３】ホストコンピュータの内部構成を例示した説明図である。
【図４】顧客情報ファイルの内容を例示した説明図である。
【図５】印字設定ファイルの内容を例示した説明図である。
【図６】ＡＴＭを用いた取引動作を説明するためのフローチャートである。
【図７】印字方法選択画面を例示した説明図である。
【図８】記帳方法設定処理の流れを説明するためのフローチャートである。
【図９】設定方法選択画面を例示した説明図である。
【図１０】情報設定画面を例示した説明図である。
【図１１】期間選択画面を例示した説明図である。
【図１２】設定内容選択画面を例示した説明図である。
【図１３】情報設定画面を例示した説明図である。
【図１４】記帳連絡処理の流れを説明するためのフローチャートである。
【図１５】未記帳データにまとめ処理がおこなわれた状態を模式的に示した説明図である。
【図１６】「預入」についてのまとめ処理を説明するための説明図である。
【図１７】「近い日付」についてのまとめ処理を説明するための説明図である。
【図１８】通帳印字処理による印字例を示した説明図である。
【符号の説明】
【００６８】
１０…取引処理システム
１００…ＡＴＭ
１２０…操作案内部
１３０…紙幣処理部
１４０…硬貨処理部
１６０…通帳処理部
１７０…制御部
１８０…回線接続部
２００…ホストコンピュータ
２１０…ホストコンピュータ制御部
２２０…ファイル部
２３０…顧客情報ファイル
２３１…顧客情報
２３２…未記帳データ
２４０…印字設定ファイル
２４１…印字設定情報
２５０…顧客情報ファイル制御部
２６０…印字設定ファイル制御部
２７０…回線接続部
３００…専用回線
【図１】
2010117755.tif 000003
【図２】
2010117755.tif 000004
【図３】
2010117755.tif 000005
【図４】
2010117755.tif 000006
【図５】
2010117755.tif 000007
【図６】
2010117755.tif 000008
【図７】
2010117755.tif 000009
【図８】
2010117755.tif 000010
【図９】
2010117755.tif 000011
【図１０】
2010117755.tif 000012
【図１１】
2010117755.tif 000013
【図１２】
2010117755.tif 000014
【図１３】
2010117755.tif 000015
【図１４】
2010117755.tif 000016
【図１５】
2010117755.tif 000017
【図１６】
2010117755.tif 000018
【図１７】
2010117755.tif 000019
【図１８】
2010117755.tif 000020